(57)【要約】【課題】  接続ケーブルの交換、信号変換基板の追加をすることなしに、外部のコンピュータにより接点信号をコネクタの所定の端子に変更することが可能な無停電電源装置を提供すること。【解決手段】  外部のコンピュータと通信する通信手段と、接点信号をコネクタ上の所定の端子に接続する接点信号変換手段と、接点信号変換手段を制御する制御手段とを有し、通信手段からの設定条件に基づいて、制御手段により前記接点信号変換手段を制御して、接点信号を前記コネクタ上の所定の端子に接続するようにする。【選択図】  図１
2005033949.tif 000002
【特許請求の範囲】
【請求項１】
外部のコンピュータと通信する通信手段と、接点信号を外部に出力するコネクタと、接点信号を前記コネクタ上の所定の端子に接続する端子切替手段と、該端子切替手段を制御する制御手段とを有し、前記通信手段からの設定データに基づいて、前記制御手段により前記端子切替手段を制御して、接点信号を前記コネクタ上の所定の端子に接続するようにしたことを特徴とする無停電電源装置における接点信号のインターフェース。
【請求項２】
外部のコンピュータと通信する通信手段と、外部からの制御信号を入力するコネクタと、前記コネクタ上の外部からの制御信号を所定の信号ラインに出力する端子切替手段と、該端子切替手段を制御する制御手段を有し、前記通信手段からの設定データに基づいて、前記制御手段により前記端子切替手段を制御して、外部からの制御信号を所定の信号ラインに出力するようにしたことを特徴とする無停電電源装置における制御信号のインターフェース。
【請求項３】
外部のコンピュータと通信する通信手段と、接点信号の出力および外部からの制御信号を入力するコネクタと、接点信号を前記コネクタ上の所定の端子への接続および前記コネクタ上の外部からの制御信号を所定の信号ラインに出力する端子切替手段と、該端子切替手段を制御する制御手段を有し、前記通信手段からの設定データに基づいて、前記制御手段により前記端子切替手段を制御して、前記コネクタ上の所定の端子への接点信号の接続および所定の信号ラインへの制御信号の出力を行うようにしたことを特徴とする無停電電源装置における接点信号のインターフェースおよび制御信号のインターフェース。
【請求項４】
コネクタ端子の設定データを格納した記録媒体を装着する記録媒体装着手段と、前記記録媒体装着手段に装着した前記記録媒体に記憶されたコネクタ端子の設定データを読み出す設定データ読出手段と、接点信号を外部に出力するコネクタと、接点信号を前記コネクタ上の所定の端子に接続する端子切替手段と、該端子切替手段を制御する制御手段とを有し、前記設定データ読出手段からのコネクタ端子の設定データに基づいて、前記制御手段により前記端子切替手段を制御して、接点信号を前記コネクタ上の所定の端子に接続するようにしたことを特徴とする無停電電源装置における接点信号のインターフェース。
【請求項５】
コネクタ端子の設定データを格納した記録媒体を装着する記録媒体装着手段と、前記記録媒体装着手段に装着した前記記録媒体に記憶されたコネクタ端子の設定データを読み出す設定データ読出手段と、接点信号の出力および外部からの制御信号を入力するコネクタと、接点信号を前記コネクタ上の所定の端子への接続および前記コネクタ上の外部からの制御信号を所定の信号ラインに出力する端子切替手段と、該端子切替手段を制御する制御手段とを有し、前記設定データ読出手段からのコネクタ端子の設定データに基づいて、前記制御手段により前記端子切替手段を制御して、前記コネクタ上の所定の端子への接点信号の接続および所定の信号ラインへの制御信号の出力を行うようにしたことを特徴とする無停電電源装置における接点信号のインターフェースおよび制御信号のインターフェース。
【発明の詳細な説明】
【技術分野】
【０００１】
本発明は、無停電電源装置（ＵＰＳ）および電源のバックアップを必要とするスイッチング電源に関し、特に、外部装置へ出力する接点信号および外部からの制御信号のインターフェースに関する。
【背景技術】
【０００２】
コンピュータの動作中における瞬停、停電からデータを保護するために無停電電源装置（以下ＵＰＳと記す）が用いられている。停電が発生するとＵＰＳの内部の検出回路により停電が検出されて、ＵＰＳのバッテリ電源をインバータにより交流電源に変換して、コンピュータに電源を供給する。また、接点信号としてのバッテリ運転信号がＵＰＳからコンピュータに出力される。コンピュータはＵＰＳからのバッテリ運転信号を検出後、自動的にデータファイルを保護して、ジョブの終了処理を行い、供給電源の遮断に備える。バッテリ運転信号等の接点信号の伝達は、ＵＰＳに設けられた接点信号用のコネクタとコンピュータのコネクタとをケーブルで接続して行われている。
【０００３】
図５に従来の無停電電源装置における接点信号のインターフェースの一例を示す。図５に示すように接点信号のインターフェースは、接点信号、制御信号の受け渡しを行う接点信号コネクタ８と、接点回路４のフォトカプラ４ａを駆動する接点信号駆動回路１５と、外部からの制御信号が入力される接点回路４のフォトカプラ４ａと、フォトカプラ４ａからの信号が入力される入力回路１６とからなる。接点信号コネクタ８には、正常運転信号、バッテリ運転信号、ローバッテリ信号、アラーム信号の各接点信号が出力されている。また、外部のコンピュータから接点信号コネクタ８に制御信号であるシャットダウン信号が入力されている。
【０００４】
正常運転信号は接点信号コネクタ８の４番ピン（図５でＰ４と示す）、バッテリ運転信号は３番ピン（図５でＰ３と示す）、ローバッテリ信号は１番ピン（図５でＰ１と示す）、アラーム信号は８番ピン（図５でＰ８と示す）、信号コモンは５番ピン（図５でＰ５と示す）にそれぞれ割り当てられている。シャットダウン信号は、接点信号コネクタ８の６番ピン（図５でＰ６と示す）と７番ピン（図５でＰ７と示す）とに接続されている。各信号の接点信号コネクタ８の端子番号は固定されている。
【０００５】
なお、接点信号のインターフェース（接続形態）は、メーカ毎、機種毎に独自に決めているため、接点信号コネクタ８上の接点信号のピン番号、信号の論理等に互換性がない。
【０００６】
このため、出力インターフェースの共有化を行うために、タッチパネルによる切替え操作で接点信号と電圧信号との２形態をなすインバータ制御用外部信号に対して共有することが可能なインターフェース回路が開示されている（例えば、特許文献１参照）。
【０００７】
また、出力インターフェースを、外部接続コネクタ部の配線変更や出力接点構成が異なる基板との差し替えを必要とせずに変更可能な出力インターフェース基板が開示されている（例えば、特許文献２参照）。
【０００８】
【特許文献１】特開平７−２３６２８２
【０００９】
【特許文献２】特開平９−１１４５６１
【発明の開示】
【発明が解決しようとする課題】
【００１０】
従来、無停電電源装置、バックアップを必要とするスイッチング電源において接点信号のインターフェースは、メーカ毎、機種毎に独自に決めているため、コネクタ上の接点信号のピン番号、信号の論理等に互換性がなかった。
【００１１】
このため、接点信号のインターフェースを使用してパソコンを制御している場合、無停電電源装置のメーカや機種を変更すると、下記のいずれかの変更を行う必要があった。
１．ＵＰＳとパソコンとを接続するケーブルの変更を行う
２．従来の信号変換基板を取り外して新たな信号変換基板を追加する
３．パソコンの信号を受信するピン配置を変更するまたは新たな基板を追加する
これにより、ユーザは、新たな接続ケーブル、インターフェース基板を準備することが必要となり、コストアップとなったり、調整に時間を要していた。また、メーカは種類の異なる接続ケーブル、インターフェース基板を準備する必要があり、在庫管理、メンテナンス等で費用が発生していた。
【００１２】
そこで本発明は、従来の無停電電源装置における接点信号のインターフェースに鑑みてなされたものであり、接続ケーブルの交換、信号変換基板の追加をすることなしに、外部のコンピュータにより接点信号をコネクタの所定の端子に設定することが可能な無停電電源装置を提供することを目的とする。
【課題を解決するための手段】
【００１３】
本発明による無停電電源装置における接点信号のインターフェースは、外部のコンピュータと通信する通信手段と、接点信号を外部に出力するコネクタと、接点信号を前記コネクタ上の所定の端子に接続する端子切替手段と、該端子切替手段を制御する制御手段とを有し、前記通信手段からの設定データに基づいて、前記制御手段により前記端子切替手段を制御して、接点信号を前記コネクタ上の所定の端子に接続するようにしたものである。
【００１４】
また、本発明による無停電電源装置における制御信号のインターフェースは、外部のコンピュータと通信する通信手段と、外部からの制御信号を入力するコネクタと、前記コネクタ上の外部からの制御信号を所定の信号ラインに出力する端子切替手段と、該端子切替手段を制御する制御手段を有し、前記通信手段からの設定データに基づいて、前記制御手段により前記端子切替手段を制御して、外部からの制御信号を所定の信号ラインに出力するようにしたものである。
【００１５】
また、本発明による無停電電源装置における接点信号のインターフェースおよび制御信号のインターフェースは、外部のコンピュータと通信する通信手段と、接点信号の出力および外部からの制御信号を入力するコネクタと、接点信号を前記コネクタ上の所定の端子への接続および前記コネクタ上の外部からの制御信号を所定の信号ラインに出力する端子切替手段と、該端子切替手段を制御する制御手段を有し、前記通信手段からの設定データに基づいて、前記制御手段により前記端子切替手段を制御して、前記コネクタ上の所定の端子への接点信号の接続および所定の信号ラインへの制御信号の出力を行うようにしたものである。
【００１６】
また、本発明による無停電電源装置における接点信号のインターフェースは、コネクタ端子の設定データを格納した記録媒体を装着する記録媒体装着手段と、前記記録媒体装着手段に装着した前記記録媒体に記憶されたコネクタ端子の設定データを読み出す設定データ読出手段と、接点信号を外部に出力するコネクタと、接点信号を前記コネクタ上の所定の端子に接続する端子切替手段と、該端子切替手段を制御する制御手段とを有し、前記設定データ読出手段からのコネクタ端子の設定データに基づいて、前記制御手段により前記端子切替手段を制御して、接点信号を前記コネクタ上の所定の端子に接続するようにしたものである。
【００１７】
また、本発明による無停電電源装置における接点信号のインターフェースおよび制御信号のインターフェースは、コネクタ端子の設定データを格納した記録媒体を装着する記録媒体装着手段と、前記記録媒体装着手段に装着した前記記録媒体に記憶されたコネクタ端子の設定データを読み出す設定データ読出手段と、接点信号の出力および外部からの制御信号を入力するコネクタと、接点信号を前記コネクタ上の所定の端子への接続および前記コネクタ上の外部からの制御信号を所定の信号ラインに出力する端子切替手段と、該端子切替手段を制御する制御手段とを有し、前記設定データ読出手段からのコネクタ端子の設定データに基づいて、前記制御手段により前記端子切替手段を制御して、前記コネクタ上の所定の端子への接点信号の接続および所定の信号ラインへの制御信号の出力を行うようにしたものである。
【発明の効果】
【００１８】
本発明による無停電電源装置における接点信号のインターフェースおよび制御信号のインターフェースによれば、外部のパソコンにより接点信号の論理、コネクタのピン番号を指定して、接点信号コネクタの所定のピンに接点信号を割り付けることにより、無停電電源装置の機種変更時に必要となる接続ケーブルの変更、接点信号変換用の基板の追加、パソコンのコネクタの受信ピン変更等の作業が不要になる。このため、無停電電源装置の機種変更時における作業時間を短縮することができる。また、基板の追加、接続ケーブルの交換等が不要となり、追加、交換による基板、ケーブルによる接触不良を防止できるため、無停電電源装置の信頼性も向上する。
【００１９】
更に、接点信号の論理、コネクタのピン番号を容易に変更することが可能であるため、多種多様な接点信号出力インターフェースを提供することができる。
【発明を実施するための最良の形態】
【００２０】
以下図面を参照して本発明による無停電電源装置における接点信号のインターフェースおよび制御信号のインターフェースについて説明する。なお、本発明の無停電電源装置における接点信号のインターフェースおよび制御信号のインターフェースは、外部のコンピュータからの設定データによりコネクタに接続する接点信号のピン配置を変更する機能を有するようにしたものである。
【００２１】
図１は、本発明による無停電電源装置のインターフェースに関するブロック図であり、図２は、無停電電源装置のインターフェースの詳細を示す図、図３は、コンピュータによる接点信号のコネクタのピン配置指定等の処理を示すフローチャートである。
【００２２】
図１および図２に示すように、無停電電源装置１は、外部のコンピュータ２０との通信、接点回路４および端子切替回路５の制御行うコンピュータ３と、接点信号の開閉を行う接点回路４と、接点信号を接点信号コネクタ８の指定のピン（端子）への接続および接点信号コネクタ８に入力される外部からの制御信号を所定の信号ラインに出力する端子切替回路５と、接点信号および制御信号の受け渡しを行う接点信号コネクタ８と、外部のコンピュータ２０との通信を行うための通信コネクタ９とを有している。
【００２３】
無停電電源装置１に内蔵されたコンピュータ３は、ＣＰＵ、メモリ３ａ、入出力回路等からなり、外部のコンピュータ２０との通信、接点信号の論理指定、接点信号のコネクタピンの指定等の処理を行うプログラムをメモリ３ａに記憶している。また、メモリ３ａは、フラッシュメモリなどのデータの書き換え可能な不揮発性メモリを有しており、外部のコンピュータ２０からの設定情報を記憶するようになっている。また、制御手段としてのコンピュータ３は、接点回路４，端子切替回路５を制御するようになっている。
【００２４】
また、無停電電源装置１に内蔵されたコンピュータ３には、記録媒体装着手段としてのＰＣカードスロット１１が設けられており、外部から設定データ等を記憶した記録媒体としてのメモリカード１２を装着できるように構成されている。
【００２５】
図２に示すように接点回路４は、無停電電源装置１の運転状態等の接点信号を出力する回路であり、フォトカプラ４ａで構成されている。なお、フォトカプラ４ａに変えてリレーを使用するようにしてもよい。接点回路４はコンピュータ３の出力回路の信号により制御される。また、接点信号の論理（開閉状態）は、コンピュータ３からの信号に基づいて所定の論理を設定するようになっている。
【００２６】
図１および図２に示す端子切替手段としての端子切替回路５は、接点信号を接点信号コネクタ８の指定のピンに接続を行う回路であり、リレー等をマトリックス等に配置したものとなっている。端子切替回路５は、コンピュータからの信号に基づいて各接点信号を接点信号コネクタ８の所定のピンに接続されるようになっている。
【００２７】
また、端子切替回路５は、外部のコンピュータ等から入力される接点信号コネクタ８のシャットダウン等の制御信号を所定の信号ラインに出力する回路であり、リレー等をマトリックス状に配置したものとなっている。端子切替回路５は、コンピュータ３からの信号に基づいて接点信号コネクタ８のピンからの制御信号をコンピュータ３の入力回路の所定の信号ラインに出力するようになっている。
【００２８】
図１および図２に示す接点信号コネクタ８は、無停電電源装置１からの接点信号および外部のコンピュータ等からの制御信号を受け渡しするためのコネクタである。
【００２９】
図１に示す通信コネクタ９は、外部のコンピュータ２０との通信を行うためのコネクタである。外部のコンピュータ２０の通信用のコネクタと無停電電源装置１の通信コネクタ９とをケーブルにより接続して通信が行われる。外部のコンピュータ２０との通信形式はＲＳ−２３２Ｃ等が用いられている。
【００３０】
なお、接点信号コネクタ８と通信コネクタ９とを共有化して、接点信号の出力、外部のコンピュータ２０との通信を行うようにしてもよい。
【００３１】
無停電電源装置１から出力される接点信号としては、正常運転信号、バッテリ運転信号、ローバッテリ信号、アラーム信号がある。また、外部から無停電電源装置１に出力される信号としては、シャットダウン信号がある。正常運転信号は、無停電電源装置１の電源入力部に商用電源が正常に入力されており、無停電電源装置１から商用電源が負荷に供給している状態を示す。正常運転信号は、商用電源運転時にクローズ（閉じた状態）となっている。バッテリ運転信号は、無停電電源装置１の電源入力部の商用電源が停電等により供給されないときに、無停電電源装置１のバッテリから電源を負荷に供給している状態を示す。バッテリ運転信号は、バッテリによる運転時にクローズ（閉じた状態）となっている。ローバッテリ信号は、無停電電源装置１のバッテリから電源を負荷に供給している際に、バッテリの出力が低下している状態を示す。ローバッテリ信号は、バッテリの出力が低下したときにクローズ（閉じた状態）となる。アラーム信号は、無停電電源装置１から供給している電源が過負荷状態になったり、瞬停等が発生したことを示すものである。アラーム信号は、無停電電源装置１に異常が  また、シャットダウン信号は、ローバッテリ信号がクローズ時、即ち、無停電電源装置１のバッテリから電源が負荷に供給されている場合に、無停電電源装置１からの電源供給を停止するためのものである。無停電電源装置１の負荷としての外部のコンピュータ等がデータの格納が完了した場合に、コンピュータからシャットダウン信号が出力される。
【００３２】
以下に図３に示すフローチャートを用いてコンピュータ３による接点信号のコネクタのピン配置指定等の処理について説明する。最初に、外部のコンピュータ２０（以下ＰＣと記す）により無停電電源装置１の接点信号の変更用のプログラムを起動して、表示手段としてのモニターに接点信号の変更のメニューを表示する（ステップＳ１）。ＰＣのモニターに表示されたメニューに基づいて、キーボード、マウス等によりＵＰＳの各接点信号の接点信号コネクタ８のピン番号、信号論理の設定を行う（ステップＳ２）。例えば、停電時に無停電電源装置１に内蔵したバッテリにより電源を供給する場合のバッテリ運転信号を接点信号コネクタ８の３ピンおよび共通端子を５ピンに指定し、信号の論理も設定する。また、外部のコンピュータ２０から入力される制御信号としてのシャットダウン信号の接点信号コネクタ８におけるピン番号も指定する。全ての信号の接点信号コネクタ８におけるピン番号および論理の指定が完了した後、モニター上に表示されている送信ボタンをクリックする。
【００３３】
外部のコンピュータ２０は無停電電源装置１（ＵＰＳ）にＲＥＳＥＴ信号を送出するようにする（ステップＳ３）。無停電電源装置１は、外部のコンピュータ２０からのＲＥＳＥＴ信号に対して、ステータス信号を送出する。外部のコンピュータ２０はＵＰＳのステータス信号を受信する（ステップＳ４）。なお、無停電電源装置１（ＵＰＳ）のステータス信号とは、無停電電源装置１が外部のコンピュータ２０からの処理要求を実行可能状態であるかを示す信号である。無停電電源装置１が稼働中は、接点信号コネクタ８の接点信号のピン番号、論理を変更することは出来ないので、ステータス信号はディセーブルとなる。受信したＵＰＳのステータス信号よりＵＰＳデータ受信可能かを判断する（ステップＳ５）。ステータス信号がディゼーブルのとき、すなわち、ＵＰＳが外部のコンピュータ２０からの処理命令を実行できない状態のときはステップＳ３に移行する。
【００３４】
ＵＰＳが外部のコンピュータ２０からの処理命令を実行できる状態のときは、ＵＰＳへピン番号、論理データ等の設定データを出力する（ステップＳ６）。ＵＰＳはデータを受信して（ステップＳ７）、コンピュータ３は、外部のコンピュータ２０から受信した設定データに基づいて、端子切替回路５、接点回路４を制御して、ＵＰＳ接点信号のピン番号および論理指定の処理を行う（ステップＳ８）。ＵＰＳは処理完了後、ＰＣへ設定完了通知を出力する（ステップＳ９）。ＰＣはＵＰＳからの設定完了通知を受信後に、ＰＣモニターへ設定終了メッセージを表示する（ステップＳ１０）。
【００３５】
以上述べたように、外部のパソコンにより接点信号の論理、コネクタのピン番号を指定することにより、無停電電源装置１のコンピュータが端子切替回路を制御して、接点信号コネクタの所定のピンに接点信号を割り付けるため、従来の無停電電源装置の機種変更時に必要となる接続ケーブルの変更、接点信号変換用の基板の追加、パソコンのコネクタの受信ピン変更等の作業が不要になる。
【実施例】
【００３６】
次に、記憶媒体に記憶した設定データにより接点信号コネクタの所定のピンに接点信号を割り付けることが可能なる接点信号のインターフェースおよび制御信号のインターフェースについて述べる。
【００３７】
以下に図４に示すフローチャートを用いて無停電電源装置１内部のコンピュータ３による接点信号のコネクタのピン配置指定等の処理について説明する。なお、コンピュータ３には図１に示す記録媒体装着手段としてのＰＣカードスロット１１が設けられており、外部から設定データ等を記憶した記録媒体としてのメモリカード１２を装着できるように構成されている。しかして、本実施例によるＰＣカードスロットおよびメモリカードに限らず、その他の記録媒体装着手段および記録媒体、例えばフロッピー（登録商標）ドライブ装置、フロッピー（登録商標）ディスク等を使用するようにしてもよい。
【００３８】
最初に、無停電電源装置１のＰＣカードスロット１１にコネクタ端子の設定データ等を記憶したメモリカード１２を装着する（ステップＳ２０）。次に、外部のコンピュータ（ＰＣ）２０の接点信号の端子変更用のプログラムを実行して（ステップＳ２１）、表示手段としてのモニターに接点信号の端子変更のメニューを表示する（ステップＳ２２）。
【００３９】
次に、ＰＣカードスロット１１のメモリカード１２に内蔵した設定データを使用するかしないかを選択して（ステップＳ２３）、メモリカード１２に内蔵した設定データを使用する場合には、メモリカード１２から設定データを読み出して（ステップＳ２４）、ステップＳ２６へ移行する。メモリカード１２に内蔵した設定データを使用しない場合には、ＰＣのモニターに表示されたメニューに基づいて、キーボード、マウス等によりＵＰＳの各接点信号の接点信号コネクタ８のピン番号、信号論理の設定を行う（ステップＳ２５）。例えば、停電時に無停電電源装置１に内蔵したバッテリにより電源を供給する場合には、バッテリ運転信号を接点信号コネクタ８のピン番号および共通端子をピン番号に指定し、信号の論理も設定する。また、外部からのコンピュータ等から入力される制御信号であるシャットダウン信号の接点信号コネクタ８におけるピン番号も指定する。
【００４０】
全ての信号の接点信号コネクタ８におけるピン番号および論理の指定が完了した後、モニター上に表示されている送信ボタンをクリックする。
【００４１】
コンピュータ３は、設定データに基づいて、端子切替回路５、接点回路４を制御して、ＵＰＳ接点信号のピン番号および論理指定の処理を行う（ステップＳ２６）。ＵＰＳは処理完了後に、ＰＣモニターへ設定終了メッセージを表示する（ステップＳ２７）。
【００４２】
以上述べたように、外部から設定データ等を記憶したメモリカードをＰＣカードスロットに装着して、無停電電源装置内部のコンピュータ３による接点信号のコネクタのピン配置指定等の処理を行うことができるため、毎回設定データを入力する必要がなく、無停電電源装置の調整工程での作業時間を減らすことができる。
【００４３】
なお、無停電電源装置のコンピュータ３に表示制御回路、キーボード、マウス等の入力回路を設けることにより、外部のコンピュータなしで接点信号のコネクタのピン配置指定等の処理を行うことも可能となる。
【図面の簡単な説明】
【００４４】
【図１】本発明による無停電電源装置のインターフェースに関するブロック図である。
【図２】本発明による無停電電源装置のインターフェースの詳細を示す図である。
【図３】コンピュータによる接点信号のコネクタのピン配置指定等の処理を示すフローチャートである。
【図４】記憶媒体に記憶した設定データによる接点信号のコネクタのピン配置指定等の処理を示すフローチャートである。
【図５】従来の無停電電源装置における接点信号のインターフェースの一例を示す図である。
【符号の説明】
【００４５】
１      無停電電源装置
３      コンピュータ
３ａ    メモリ
４      接点回路
４ａ    フォトカプラ
５      端子切替回路
８      接点信号コネクタ
９      通信コネクタ
１１    ＰＣカードスロット
１２    記録媒体（メモリカード）
１５    接点信号駆動回路
１６    入力回路
２０    外部のコンピュータ
【図１】
2005033949.tif 000003
【図２】
2005033949.tif 000004
【図３】
2005033949.tif 000005
【図４】
2005033949.tif 000006
【図５】
2005033949.tif 000007